(57)【要約】【課題】結線部及び複数の電線を収容する収容空間に浸入した水から結線部を保護することができる結線ボックスを提供すること。【解決手段】電源からの電力をスポットライト４００に中継するための、屋外に配置される結線ボックス１００であって、電源と接続された電線２１０及びスポットライト４００に接続された電線２２１の接続部分である結線部２５０を含む、電線２１０の一部及び電線２２１の一部を収容することができる収容空間１２０を内部に有する筐体１１０と、収容空間１２０内において、電線２１０及び電線２２１の少なくとも一方を支持することで、結線部２５０を収容空間１２０における床面１２１よりも上方に位置させる支持部１８０とを備える。【選択図】図４
2017051034.tif 000002
【特許請求の範囲】
【請求項１】
電源からの電力を電気機器に中継するための、屋外に配置される結線ボックスであって、
前記電源と接続された第一電線及び前記電気機器に接続された第二電線の接続部分である結線部を含む、前記第一電線の一部及び前記第二電線の一部を収容することができる収容空間を内部に有する筐体と、
前記収容空間内において、前記第一電線及び前記第二電線の少なくとも一方を支持することで、前記結線部を前記収容空間における床面よりも上方に位置させる支持部と
を備える結線ボックス。
【請求項２】
前記筐体は、
前記床面を形成する壁部である底壁部に設けられ、地中に埋設された前記第一電線が挿入される第一挿入部と、
前記底壁部、または、前記底壁部から立設された壁部である側壁部に設けられ、前記第二電線が挿入される第二挿入部とを有する
請求項１記載の結線ボックス。
【請求項３】
前記支持部は、前記結線部を、前記側壁部に設けられた前記第二挿入部よりも上方に位置させている
請求項２記載の結線ボックス。
【請求項４】
前記支持部は、前記筐体の壁部と接続され、かつ、前記第一電線及び前記第二電線の少なくとも一方を係止することで、前記結線部を、前記床面よりも上方に位置させる
請求項１〜３のいずれか１項に記載の結線ボックス。
【請求項５】
前記筐体は、上方に開口を有する本体部と、前記開口を塞ぐ蓋体とを有し、
前記支持部は、前記蓋体の内面と接続されている
請求項４記載の結線ボックス。
【請求項６】
前記支持部は、前記第一電線及び前記第二電線の少なくとも一方を貫通させた状態で支持する結束バンドである
請求項１〜５のいずれか１項に記載の結線ボックス。
【請求項７】
前記支持部は、前記筐体の壁部から内方に向けて凸状に形成され、前記第一電線及び前記第二電線の少なくとも一方を下方から支持することで、前記結線部を前記床面よりも上方に位置させる
請求項１〜３のいずれか１項に記載の結線ボックス。
【請求項８】
前記筐体の下部には、前記収容空間と前記筐体の外部とを連通する貫通孔が形成されており、
前記支持部は、前記結線部を、前記貫通孔よりも上方に位置させる
請求項１〜７のいずれか１項に記載の結線ボックス。
【発明の詳細な説明】
【技術分野】
【０００１】
本発明は、電源からの電力を電気機器に中継するための結線ボックスに関し、特に屋外で用いることができる結線ボックスに関する。
【背景技術】
【０００２】
従来、例えば屋外に設置された照明装置によって、庭木または建物等を照らすことで、外構空間（人が居住する建物の外にある物体を含む空間）の演出が行われる場合がある。この照明装置のように屋外で用いられる電気機器には、例えば屋内から延設された電力線と、屋外の配線ボックスとを介して電力が供給される。
【０００３】
例えば特許文献１には、地中埋設される給電側と照明器具側の各電線を地表面よりも上方で中継接続するための配線ボックスが開示されている。この配線ボックスのベース体は、周壁部の内部に一体に設けられた底壁部により当該周壁部が上下に二分されて形成され、底壁部よりも下方部分は、地中に埋設される固定部となり、底壁部よりも上方部分は、配線空間となる。また、底壁部には、地中埋設される電線を収容する電線管の端部が接続される電線管接続部が形成されている。この構成により、地中埋設される電線と、配線ボックスに固定された照明器具に接続された電線とは、配線空間内において接続される。
【先行技術文献】
【特許文献】
【０００４】
【特許文献１】特許第４７５００４９号公報
【発明の概要】
【発明が解決しようとする課題】
【０００５】
一般に、配線ボックス（結線ボックスまたは中継ボックス等とも呼ばれる）の内部には、結線部のみならず、結線部を端部に有する複数の電線が所定の長さだけ収容される。そのため、上記従来の配線ボックスのように、配線空間の一部または全部が地表面より上方に配置される場合であっても、結線部の位置は配線空間において決定されず、そのことに起因して、配線空間に浸入した水が結線部に付着する可能性がある。
【０００６】
本発明は、上記従来の課題を考慮し、結線部及び複数の電線を収容する収容空間を内部に形成する結線ボックスであって、収容空間に浸入した水から結線部を保護することができる結線ボックスを提供することを目的とする。
【課題を解決するための手段】
【０００７】
上記目的を達成するために、本発明の一態様に係る結線ボックスは、電源からの電力を電気機器に中継するための、屋外に配置される結線ボックスであって、前記電源と接続された第一電線及び前記電気機器に接続された第二電線の接続部分である結線部を含む、前記第一電線の一部及び前記第二電線の一部を収容することができる収容空間を内部に有する筐体と、前記収容空間内において、前記第一電線及び前記第二電線の少なくとも一方を支持することで、前記結線部を前記収容空間における床面よりも上方に位置させる支持部とを備える。
【発明の効果】
【０００８】
本発明の一態様に係る結線ボックスによれば、収容空間に浸入した水から結線部を保護することができる。
【図面の簡単な説明】
【０００９】
【図１】実施の形態に係る照明システムの機器構成を示す図である。
【図２】実施の形態に係る結線ボックスの構成概要を示す斜視図である。
【図３】実施の形態に係る結線部の構成概要を示す斜視図である。
【図４】実施の形態に係る結線ボックスが備える支持部を示す一部切欠き斜視図である。
【図５】実施の形態に係る結線部の位置が固定された状態を示す一部切欠き斜視図である。
【図６】実施の形態に係る取付部の形状を示す断面図である。
【図７】実施の形態の変形例１に係る結線ボックスの特徴を示す斜視図である。
【図８】実施の形態の変形例２に係る結線ボックスの特徴を示す一部切欠き斜視図である。
【発明を実施するための形態】
【００１０】
以下、実施の形態に係る照明装置について、図面を参照しながら説明する。なお、以下に説明する実施の形態及びその変形例のそれぞれは、本発明の一具体例を示すものである。したがって、以下の実施の形態及びその変形例で示される、数値、形状、材料、構成要素、構成要素の配置位置及び接続形態などは、一例であって本発明を限定する主旨ではない。よって、以下の実施の形態及びその変形例における構成要素のうち、本発明の最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。
【００１２】
（実施の形態）
［照明システムの全体構成］
まず、本実施の形態に係る照明システムの構成について、図１を用いて説明する。
【００１３】
図１は、実施の形態に係る照明システム１０の機器構成を示す図である。なお、図１において、点線の矢印は、電力の流れを示している。
【００１４】
図１に示すように、実施の形態に係る照明システム１０は、結線ボックス１００と、電源からの電力を結線ボックス１００を介して受け取る電気機器とを備える。本実施の形態では、照明システム１０は、電気機器として、庭木に光を照射するスポットライト４００と、門柱４２１に設置された、表札を照らすための表札灯４２０とを備えている。
【００１５】
結線ボックス１００は、電源から供給される電力を電気機器に中継するための器具である。本実施の形態では、結線ボックス１００は、家屋５００に備えられた、商用電源と接続された屋内配線ボックス５１０と電線によって接続されている。これにより、商用電源からの電力は、結線ボックス１００に到達し、結線ボックス１００から、スポットライト４００及び表札灯４２０のそれぞれに供給される。
【００１６】
また、屋内配線ボックス５１０と結線ボックス１００とを接続する電線は、地中に埋設された電線管３００の中に配置されており、屋内配線ボックス５１０と表札灯４２０とを接続する電線は、地中に埋設された電線管３１０の中に配置されている。電線管３００及び３１０の種類に特に限定はないが、例えば、可撓性を有するＰＦ管（Ｐｌａｓｔｉｃ  Ｆｌｅｘｉｂｌｅ  ｃｏｎｄｕｉｔ）が電線管３００及び３１０として採用される。屋内配線ボックス５１０と、スポットライト４００とは、地上に配置された電線によって接続されている。
【００１７】
上記構成を有する照明システム１０において、屋外に配置される結線ボックス１００は、地面に配置されている。具体的には、結線ボックス１００は、下方に突出する固定部材であるスパイク１９０を備え、スパイク１９０が地中に埋められることで地面に固定されている。
【００１８】
［結線ボックス］
上述のように屋外に配置される結線ボックス１００は、風雨にさらされる環境下において、例えば雨水が内部に浸水する可能性がある。そこで、本実施の形態に係る結線ボックス１００では、電源に接続された電線（電力の供給側の電線）と、スポットライト４００等の電気機器に接続された電線（電力の被供給側の電線）との結線部を、結線ボックス１００内に浸入した水から保護するための構造を有している。以下、この構造の詳細について、図２〜図６を用いて説明する。
【００１９】
図２は、実施の形態に係る結線ボックス１００の構成概要を示す斜視図である。図３は、実施の形態に係る結線部２５０の構成概要を示す斜視図である。図４は、実施の形態に係る結線ボックス１００が備える支持部１８０を示す一部切欠き斜視図である。図５は、実施の形態に係る結線部２５０の位置が固定された状態を示す一部切欠き斜視図である。図６は、実施の形態に係る取付部１４０の形状を示す断面図であり、具体的には、図５におけるＶＩ−ＶＩ線断面を示す図である。
【００２０】
なお、図２では、電線２１０、２２１、及び２２２のそれぞれは、太線の点線によって概念的に図示されている。また、図２〜図５において示される、電線２１０等の電線の、結線ボックス１００の収容空間１２０に収容される長さ、および、収容空間１２０に収容される部分の形状のそれぞれは一例であり、これらの図に限定されない。また、図４及び図５において、結線ボックス１００が備えるスパイク１９０の図示は省略されている。さらに、図５では、蓋体１１２の図示は省略されている。
【００２１】
また、結線ボックス１００の構造を明確に説明するために、図３〜図５において、結線部２５０は、電線２１０と電線２２１との接続部分として図示されており、電線２２２の図示及び説明は省略されている。つまり、結線ボックス１００から、スポットライト４００及び表札灯４２０の両方に電力を供給する場合、結線部２５０は、電線２１０と、電線２２１及び２２２との接続部分であるが、電線２２１を、電力の被供給側の電線の代表として取り上げて、以下の説明を行う。
【００２２】
本実施の形態に係る結線ボックス１００は、電源からの電力を、電気機器に中継するための屋外に配置される器具であり、図２〜図５に示すように、収容空間１２０を内部に有する筐体１１０を備える。収容空間１２０は、結線部２５０を含む、電線２１０の一部及び電線２２１の一部を収容することができる空間である。結線部２５０は、電源と接続された電線２１０と、電気機器に接続された電線２２１との接続部分である。本実施の形態では、筐体１１０は、上方に開口を有する本体部１１１と、本体部１１１の開口を塞ぐ蓋体１１２とを有する。本体部１１１と蓋体１１２とは、例えば図示しない１以上のネジによって結合される。また、本体部１１１及び蓋体１１２のそれぞれは、例えば、ポリブチレンテレフタレート（ＰＢＴ）またはポリプロピレン（ＰＰ）等の樹脂製である。
【００２３】
電源と接続された電線２１０は、第一電線の一例であり、電気機器（スポットライト４００及び表札灯４２０）と接続された電線２２１及び電線２２２のそれぞれは、第二電線の一例である。
【００２４】
本実施の形態に係る結線ボックス１００はさらに、収容空間１２０内において、電線２１０及び電線２２１の少なくとも一方を支持することで、結線部２５０を収容空間１２０における床面１２１（底壁部１２２（図４及び図５参照）の上面）よりも上方に位置させる支持部１８０を備えている。本実施の形態では、支持部１８０は、樹脂製の結束部材（結束バンド）によって実現されている。
【００２５】
ここで、電線２１０と電線２２１とを結線するための作業（結線作業）を行う場合、結線作業を円滑に行うために、一般に、電線２１０及び電線２２１の一部が、結線ボックス１００から引き出された状態で結線作業が行われる。
【００２６】
具体的には、図３に示されるように、電線２１０及び電線２２１のそれぞれは、例えば、ＶＶＦケーブル（Ｖｉｎｙｌ  ｉｎｓｕｌａｔｅｄ  Ｖｉｎｙｌ  ｓｈｅａｔｈｅｄ  Ｆｌａｔ−ｔｙｐｅ  ｃａｂｌｅ）と呼ばれるケーブルである。本実施の形態では、電線２１０及び電線２２１として２心のＶＶＦケーブルが採用されているが、ＶＶＦケーブルの心数は、３または４でもよい。また、電力の供給側の電線２１０及び電力の被供給側の電線２２１として、互いに異なる種類のケーブルが採用されてもよい。
【００２７】
電線２１０は、外被（シース（ｓｈｅａｔｈ））に覆われた第一線心２１０ａと第二線心２１０ｂとを有する。電線２２１は、外被に覆われた第一線心２２１ａと第二線心２２１ｂとを有する。これら線心のそれぞれの端部は、絶縁被覆がむかれて導体がむき出しにされており、これら端部が接続される。
【００２８】
例えば、第一線心２１０ａの端部と第一線心２２１ａ端部とは、金属製の（本実施の形態ではアルミスリーブ２４０）をかしめることで、機械的及び電気的に接続され、アルミスリーブ２４０の上から自己融着テープ（図示せず）が巻かれる。さらに、自己融着テープの上からビニールテープ２４２が巻かれることで、１つの結線部２５０が形成される。また、第二線心２１０ｂの端部と第一線心２２１ａ端部も同様に、アルミスリーブ２４０をかしめることで機械的及び電気的に接続され、自己融着テープ及びビニールテープ２４２が巻かれることで、１つの結線部２５０が形成される。なお、このようにして形成された２つの結線部２５０は、ともに、支持部１８０によって床面１２１よりも上方に位置される。つまり、２つの結線部２５０は、結線ボックス１００において同じ扱いを受けるため、以降、１つの結線部２５０に着目して、結線ボックス１００の構造を説明する。また、これら２つの結線部２５０は、例えばビニールテープ等でひとまとめにされることで、１つの結線部２５０として扱われてもよい。
【００２９】
上記のように、アルミスリーブ２４０のかしめ等を含む結線作業を行う場合、電線２１０及び電線２２１それぞれの端部を含む一部が、結線ボックス１００から引き出された状態で結線作業が行われる。その後、電線２１０及び電線２２１の結線ボックス１００から引き出された部分（余剰部分）それぞれが折りたたまれる（または巻かれる）ようにして、結線ボックス１００の内部の収容空間１２０に収容される。
【００３０】
このとき、単に、電線２１０及び電線２２１の余剰部分を収容空間１２０に押し込むようにして収容した場合、結線部２５０が、収容空間１２０における床面１２１に接して配置される可能性がある。また、余剰部分の収容の時点で、結線部２５０が床面１２１に接していない場合であっても、その後に結線部２５０の位置がずれて、結線部２５０が床面１２１に接する場合も考えられる。このような場合、仮に、収容空間１２０に水が浸入した場合、床面１２１上にたまる水に結線部２５０が付着する可能性があり、このことは、例えば漏電等の問題を生じさせる。
【００３１】
しかしながら、本実施の形態に係る結線ボックス１００では、結線部２５０は、支持部１８０によって、強制的に、床面１２１よりも上方に位置される。つまり、結線部２５０の位置は、支持部１８０によって、床面１２１よりも上方の位置に規制される。そのため、収容空間１２０に浸入した水が、結線部２５０に付着する可能性が低減される。すなわち、本実施の形態に係る結線ボックス１００によれば、収容空間１２０に浸入した水から結線部２５０を保護することができる。
【００３２】
なお、支持部１８０は、結線部２５０そのものを支持することで、結線部２５０を床面１２１よりも上方に位置させてもよい。つまり、支持部１８０は、結線部２５０を床面１２１よりも上方に位置させること（言い換えると、結線部２５０の位置を床面１２１より上方の位置に規制することが）できれば、電線２１０または電線２２１の支持位置（支持部１８０が接触する位置または部分）に限定はない。
【００３３】
また、本実施の形態では、筐体１１０は、床面１２１を形成する壁部である底壁部１２２に設けられ、地中に埋設された電線２１０が挿入される第一挿入部１５０を有する。具体的には、地中に埋設され、かつ、電線２１０を内部に収容する電線管３００が、第一挿入部１５０に挿入されることで、第一挿入部１５０に電線２１０が挿入される。
【００３４】
また、筐体１１０は、底壁部１２２から立設された壁部である側壁部１２５に設けられ、電線２２１が挿入される第二挿入部１６１を有する。なお、本実施の形態では、筐体１１０の側壁部１２５には２つの第二挿入部１６１が設けられており、電線２２１は、これら２つの第二挿入部１６１のうちの一方に挿入されている。また、第二挿入部１６１は、本実施の形態では、例えばケーブルグランドと呼ばれる部品であり、電線２２１が挿入された状態において気密の維持を可能とし、かつ、電線２２１の抜け出しを防止する構造を有している。
【００３５】
また、第二挿入部１６１は、電線２２１が挿入されていない状態であっても、外部から蓋（ゴム栓など）をすること等によって気密を維持することが可能である。なお、２つの第二挿入部１６１のうちの一方のみが使用される場合、使用されない他方は筐体１１０から取り外されてもよい。この場合、当該他方の第二挿入部１６１が取り外されることで筐体１１０に生じる開口は、ゴム栓等によって塞がれることで、当該開口における気密を維持することは可能である。
【００３６】
また、筐体１１０に、例えば第二挿入部１６１を容易に取り付けるためノックアウト式の取付部分が複数形成されていてもよい。これにより、例えば第二挿入部１６１の数が１つのみでよい場合、１つの取付部分をドライバー等の工具で打ち抜くことで、第二挿入部１６１を取り付けるための孔を筐体１１０に容易に形成することができる。また、他の１以上の取付部分は、気密を維持した状態のままにしておくことができる。
【００３７】
このように、本実施の形態に係る結線ボックス１００では、簡単にいうと、地面に設置された筐体１１０の底を貫通する電線２１０から供給される電力を、筐体１１０の側面を貫通する電線２２１を介して、電気機器（本実施の形態ではスポットライト４００）に供給することができる。
【００３８】
この構成によれば、屋内から延設された電線２１０を地中に隠すことができ、かつ、電線２２１に接続されるスポットライト４００の配置位置についての自由度が高められる。また、スポットライト４００の位置の変更を容易に行うことができる。
【００３９】
また、本実施の形態では、支持部１８０は、結線部２５０を、筐体１１０の側壁部１２５に設けられた第二挿入部１６１よりも上方に位置させている。すなわち、上下方向における結線部２５０の位置は、側壁部１２５の第二挿入部１６１よりも高い位置である。これにより、仮に、筐体１１０の外部の水が、第二挿入部１６１から筐体１１０の内部に浸入した場合であっても、浸入した水が結線部２５０に接触する可能性が低減される。
【００４０】
本実施の形態では、筐体１１０はさらに、底壁部１２２に設けられ、電線２２２が挿入される第二挿入部１６０を有する。具体的には、地中に埋設され、かつ、電線２２２を内部に収容する電線管３１０が、第二挿入部１６０に挿入されることで、第二挿入部１６０に電線２２２が挿入される。
【００４１】
つまり、結線ボックス１００は、電線２１０から供給される電力を、筐体１１０の底を貫通する電線２２２を介して、電気機器（本実施の形態では表札灯４２０）に供給することができる。
【００４２】
ここで、表札灯４２０は、本実施の形態では、門柱４２１に設置された、表札を照らすための照明装置であるため、位置変更が行われる可能性が低い。従って、底壁部１２２に設けられた第二挿入部１６０に挿入された電線２２２を介して、表札灯４２０への電力供給を行う場合であっても、地中に埋設された電線２２２の移設が容易でないことに起因する問題が生じ難い。また、門柱４２１が、結線ボックス１００から比較的に遠い位置に存在する場合であっても、結線ボックス１００と門柱４２１との間において、電線２２２を地中に隠すことができる。
【００４３】
また、本実施の形態に係る支持部１８０は、筐体１１０の壁部と接続され、かつ、電線２１０及び２２１の少なくとも一方の一部を係止すること（かかわりあって止めること）で、結線部２５０を、床面１２１よりも上方に位置させている。具体的には、上述のように、支持部１８０は結束バンドによって実現されており、例えば図４に示すように、筐体１１０の側壁部１２５に設けられた取付部１４０に支持部１８０が取り付けられていることで、支持部１８０が筐体１１０の側壁部１２５と接続されている。より詳細には、取付部１４０は、側壁部１２５の内面である内壁面１２４に設けられている。なお、図４では、結線部２５０が、支持部１８０によって支持される前の状態が図示されている。
【００４４】
図４に示すように、支持部１８０が有する環の中に、結線部２５０が挿入され、支持部１８０の端部が引っ張られることで、図５に示すように、結線部２５０は、支持部１８０を貫通した状態で支持部１８０に支持される。より具体的には、結線部２５０が支持部１８０に締め付けられる。これにより、結線部２５０の位置は、床面１２１よりも上方の所定の位置に確実に固定される。
【００４５】
なお、支持部１８０は、結線部２５０そのものではなく、例えば、電線２１０の第一線心２１０ａまたは電線２２１の第一線心２２１ａを貫通させた状態で支持することで、結線部２５０を、床面１２１よりも上方に位置させてもよい。また、支持部１８０によって位置が固定された状態における結線部２５０の姿勢に特に限定はない。例えば、結束バンドである支持部１８０が鉛直面に平行な環を形成することで、結線部２５０が水平面に平行な状態で固定されてもよい。
【００４６】
また、本実施の形態では、図６に示すように、取付部１４０は、上方からの支持部１８０の差し込みを可能とする形状を有しており、かつ、差し込まれた支持部１８０の上方への抜け出しを爪１４１によって抑制する構造を有している。これにより、例えば、支持部１８０を環状にした状態で取付部１４０に取り付けることができる。なお、図６等に示される取付部１４０の形状は一例であり、支持部１８０の位置を規制できる形状であれば、取付部１４０の形状はどのような形状であってもよい。
【００４７】
また、図６等に示される取付部１４０そのものが、支持部として機能してもよい。つまり、取付部１４０が、電線２１０及び電線２２１の少なくとも一方を係止することで、結線部２５０を床面１２１よりも上方に位置させてもよい。
【００４８】
また、本実施の形態では、筐体１１０の下部に、収容空間１２０と筐体１１０の外部とを連通する貫通孔１７０が形成されており、支持部１８０は、結線部２５０を、貫通孔１７０よりも上方に位置させている。この貫通孔１７０は、水抜き孔として機能するため、床面１２１上にたまる水は、貫通孔１７０以下の高さ（深さ）となる。そのため、結線部２５０の位置を、貫通孔１７０よりも上方とすることで、結線部２５０が、床面１２１上にたまる水と接触する可能性が低減される。
【００４９】
ここで、本実施の形態では、蓋体１１２と本体部１１１との間にパッキン１１３が配置されており、蓋体１１２と本体部１１１との間の気密の維持が図られる。さらに、床面１２１よりも上方に位置する２つの第二挿入部１６１についても、上述のように気密の維持が可能な構造を有している。すなわち、筐体１１０の、少なくとも貫通孔１７０より上の部分では、原則、気密が維持されている。そのため、水抜きの孔として機能する貫通孔１７０から水が浸入した場合であっても、原則として、貫通孔１７０よりも上には水がたまらない。
【００５０】
従って、筐体１１０が、下部に貫通孔１７０を有することで、仮に、蓋体１１２と本体部１１１との隙間等から水が筐体１１０の内部（収容空間１２０）に浸入した場合であっても、その水は、貫通孔１７０から外部に排出される。また、例えば、筐体１１０の一部または全部が水没した場合であっても、貫通孔１７０から浸入する水の高さは、貫通孔１７０の高さ（存在範囲の上限）程度である。
【００５１】
このような構造を有する筐体１１０において、支持部１８０が、結線部２５０を貫通孔１７０よりも上方に位置させることで、貫通孔１７０による水抜き孔としての機能と、貫通孔１７０から浸入する水からの結線部２５０の保護の両立が図られている。なお、本実施の形態では、貫通孔１７０は、筐体１１０の側壁部１２５に形成されているが、貫通孔１７０は、底壁部１２２に形成されてもよく、また、底壁部１２２と側壁部１２５とに跨って形成されてもよい。
【００５２】
また、結線ボックス１００は、図２〜図６に示される態様とは異なる態様で、結線部２５０を床面１２１よりも上方に位置させてもよい。そこで、実施の形態の変形例として、上記実施の形態とは異なる態様で結線部２５０の位置を規制する結線ボックスについて、上記実施の形態との差分を中心に説明する。
【００５３】
（変形例１）
図７は、実施の形態の変形例１に係る結線ボックス１０１の特徴を示す斜視図である。なお、図７では、結線ボックス１０１の特徴である支持部１８１が備えられた蓋体１１２を図示し、本体部１１１の図示は省略されている。
【００５４】
図７に示す実施の形態の変形例１に係る結線ボックス１０１では、支持部１８１は、蓋体１１２の内面１１２ａに接続されている。蓋体１１２の内面１１２ａに接続された支持部１８１は、電線２１０及び電線２２１の少なくとも一方を係止することで、結線部２５０を収容空間１２０における床面１２１（例えば、図４参照）よりも上方に位置させることができる。
【００５５】
つまり、簡単に言うと、上述のようにアルミスリーブ２４０のかしめ等の含む結線作業を終えた後に、本体部１１１の開口を蓋体１１２で閉じる際に、蓋体１１２に、結線部２５０またはその近傍の部位を引っ掛けて蓋体１１２で閉じる。これにより、結線部２５０を、強制的に、床面１２１よりも上方に位置させることができる。その結果、上記実施の形態に係る結線ボックス１００と同じく、結線部２５０は、収容空間１２０に浸入した水から保護される。
【００５６】
また、結線部２５０を、収容空間１２０における最上部に位置させることができるため、収容空間１２０を、電線２１０及び電線２２１の余剰部分を収容するための空間として、より効率よく使用することができる。このことは、例えば、結線ボックス１００を介して電力供給を受ける電気機器が複数存在する場合など、結線部２５０の数が比較的に多い場合に有利である。
【００５７】
なお、支持部１８１に、例えば結束バンドを取り付け、当該結束バンドに結線部２５０を貫通させた状態で支持させることで、結線部２５０を床面１２１よりも上方に位置させてもよい。つまり、上記実施の形態では、側壁部１２５に接続された結束バンド（支持部１８０）によって結線部２５０の位置を規制したが、蓋体１１２に接続された結束バンドによって結線部２５０の位置を規制することも可能である。
【００５８】
また、図７に示す、蓋体１１２に設けられた支持部１８１の形状は一例であり、電線２１０及び電線２２１の少なくとも一方を係止することができる形状であれば、他の形状であってもよい。
【００５９】
また、支持部１８１は、蓋体１１２と一体に形成されていてもよく、蓋体１１２とは別部品として作製された支持部１８１が、嵌合、接着、溶着、または締結等によって蓋体１１２に固定されてもよい。
【００６０】
（変形例２）
図８は、実施の形態の変形例２に係る結線ボックス１０２の特徴を示す一部切欠き斜視図である。
【００６１】
図８に示す結線ボックス１０２において、支持部１８５は、筐体１１０の壁部から内方に向けて凸状に形成されており、電線２１０及び電線２２１の少なくとも一方を下方から支持することで、結線部２５０を、床面１２１より上方に位置させている。
【００６２】
具体的には、本実施の形態では、支持部１８５は、筐体１１０の底壁部１２２から上方に凸状に形成されており、その上端面によって、結線部２５０が下方から支持されている。これにより、結線部２５０を、強制的に、床面１２１よりも上方に位置させることができる。その結果、上記実施の形態に係る結線ボックス１００と同じく、結線部２５０は、収容空間１２０に浸入した水から保護される。
【００６３】
なお、図８に示す支持部１８５の形状は一例であり、電線２１０及び電線２２１の少なくとも一方を下方から支持することができる形状であれば、他の形状であってもよい。
【００６４】
また、支持部１８５は、筐体１１０の底壁部１２２からではなく、筐体１１０の側壁部１２５から内方に向けて凸状に形成されていてもよい。この場合であっても、支持部１８５は、結線部２５０を下方から支持することができる。つまり、側壁部１２５から筐体１１０の内方に向けて延設された腕（支持部１８５）に、結線部２５０またはその近傍の部位を引っ掛けることでも、結線部２５０を、強制的に、床面１２１よりも上方に位置させることができる。
【００６５】
なお、支持部１８５は、筐体１１０と一体に形成されていてもよく、筐体１１０とは別部品として作製された支持部１８５が、嵌合、接着、溶着、または締結等によって筐体１１０に固定されてもよい。
【００６６】
（他の実施の形態）
以上、本発明に係る照明装置について、上記実施の形態及び変形例に基づいて説明したが、本発明は、上記の実施の形態及び変形例に限定されるものではない。
【００６７】
例えば、上記実施の形態において、支持部１８０は結束バンドであるとしたが、支持部１８０が電線２１０等を支持する態様に特に限定はない。支持部１８０は、例えば、電線２１０及び電線２２１の少なくとも一方を挟むことで支持するクリップであってもよい。
【００６８】
例えば、結線ボックス１００と電線で接続される電気機器は、スポットライト４００及び表札灯４２０には限定されず、他の種類の照明装置、または、照明装置とは異なる種類の電気機器（屋外に設置された電動シャッターまたは電気式暖房器具など）であってもよい。
【００６９】
また、結線ボックス１００内で接続される、電力の供給側の電線及び電力の被供給側の電線の双方が、地中に埋められてもよく、また、これら双方が地上に配置されてもよい。
【００７０】
また、本実施の形態では、筐体１１０の側壁部１２５に設けられた第二挿入部１６１の数は２であるとしたが、第二挿入部１６１の数は１であってもよく、３以上であってもよい。筐体１１０の底壁部１２２に設けられた第二挿入部１６０の数も１には限定されず、第二挿入部１６０の数は２以上であってもよい。つまり、結線ボックス１００において、電力の供給側の電線と接続される、電力の被供給側の電線の数は１以上であればよい。すなわち、結線ボックス１００を介して電力を受けとる電気機器の数は１以上であればよい。
【００７１】
また、筐体１１０の形状は、上記実施の形態、変形例１及び２では、全体として円筒状であるが、筐体１１０の形状に特に限定はない。筐体１１０の形状及びサイズ等は、例えば、電力の被供給側の電線の本数等に応じて適宜決定されればよい。
【００７２】
その他、上記実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【符号の説明】
【００７３】
１００、１０１、１０２  結線ボックス
１１０  筐体
１１１  本体部
１１２  蓋体
１１２ａ  内面
１２０  収容空間
１２１  床面
１２２  底壁部
１２５  側壁部
１５０  第一挿入部
１６０、１６１  第二挿入部
１７０  貫通孔
１８０、１８１、１８５  支持部
２１０  電線（第一電線）
２２１、２２２  電線（第二電線）
２５０  結線部
４００  スポットライト（電気機器）
４２０  表札灯（電気機器）
【図１】
2017051034.tif 000003
【図２】
2017051034.tif 000004
【図３】
2017051034.tif 000005
【図４】
2017051034.tif 000006
【図５】
2017051034.tif 000007
【図６】
2017051034.tif 000008
【図７】
2017051034.tif 000009
【図８】
2017051034.tif 000010